(57)【要約】【課題】  一つのホースに点滴ホース機能と噴水ホース機能とを一体に備えることにより、必要に応じて、点滴ホースとしても用いることができ、噴水ホースとしても用いることができるという便利な利点を有している農業用水給水用潅水ホースを提供する。【解決手段】用水通水路６を通って圧送された用水の水圧を減圧して点滴用噴出口７を通して農作物に点滴用水を供給する点滴水供給手段と、用水通水路６を通って圧送された用水を、噴射用噴出口８を通して噴射させて農作物に供給する噴射用水供給手段とから構成される。そのため、用水通水路６を第１用水通水路２０と第２用水通水路３０とに分割区画する分離層２を設ける。第１用水通水路２０を通って圧送された用水は点適用噴出口７を通って農作物に供給され、第２用水通水路３０を通って圧送された用水は噴射用噴出口８を通って農作物に供給される。【選択図】  図５
2004305206.tif 000002
【特許請求の範囲】
【請求項１】
用水通水路を通って圧送された用水の水圧を減圧して、点滴用噴出口を通して農作物に点滴用水を供給する点滴水供給手段と、
前記用水通水路を通って圧送された用水を、噴射用噴出口を通して噴射させて農作物に供給する噴射用水供給手段と
を備えたことを特徴とする農業用水給水用潅水ホース。
【請求項２】
前記用水通水路を第１用水通水路と第２用水通水路とに分割区画する分離層を設け、前記第１用水通水路を通って圧送された用水は前記点滴用噴出口を通って農作物に点滴用水として供給され、前記第２用水通水路を通って圧送された用水は、前記噴射用噴出口を通って、噴射された用水として農作物に供給されることを特徴とする請求項１に記載の農業用水給水用潅水ホース。
【発明の詳細な説明】
【技術分野】
【０００１】
本発明は、農作物に用水を供給する農作物給水用潅水ホースに関する。より詳しくは、一体に構成された一つのホース中に、圧送された用水が噴射されて噴出されるのではなく水圧が減圧された状態で噴出されるようにする点滴機能を有する部分と、圧送された用水がそのまま噴射されつつ噴出される機能を有した部分とが一体に具備された農業用水給水用の潅水ホースに関する。
【背景技術】
【０００２】
一般に、作物を裁培する際に用水を供給する方法としては、２つの方法を用いている。第一の方法は、噴水ホースやスプリンクラーなどを利用して作物の上に用水を噴射させる方法であり、大部分の葉菜類を裁培するときにこのような方法を利用している。第二の方法は、作物の根部の近くに、用水が噴射されずにぽたぽたと落ちるようにして長時間にわたって供給する方法で、果菜類やマルチング裁培をするときに多く使用する方法である。
【０００３】
従来の前記用水供給形態をより詳細に説明すると、以下のとおりである。図１に示されたような噴水ホースを利用して用水を圧送すれば、図２に示されているように、用水が広く噴射されつつ噴出されて作物に供給される。
【０００４】
また、図３に示されたような点滴ホースに用水を圧送すれば、図４に示されているように、用水が噴射されることなく減圧された状態でホースの下にぽたぽたと落ちるようにして、作物に用水を供給する。
【０００５】
しかし、イチゴなどの、苗を移植して裁培する作物の場合、移植をしてからしばらく、根付きの（根が活着する）間には噴水ホースやスプリンクラーなどを利用して用水を広く噴射させるのが良く、根が活着した後ビニルマルチングをするためには点滴ホースを利用して用水を供給するのが良い。
【０００６】
しかし、従来の給水用潅水ホースには２つの機能を有するホースがなかった。そのため、苗を移植してからは噴水ホースを使用し、根が活着して葉が茂るようになったときや、ビニルマルチングをする際は点滴ホースをさらに設置して作物を裁培する。そのため、不便さと経済的な損失が大きかった。
【０００７】
また、苗の移植をして噴水ホースを使用しそのままビニルマルチングをすると用水供給が円滑でないという問題点があった。
【特許文献１】特開平09-140281
【特許文献２】特開2000-004695
【発明の開示】
【発明が解決しようとする課題】
【０００８】
本発明は、前記のように二重にホースを設置したり、作物の成長とビニルマルチングをするときにホースを交換しなければならないという問題点を解決するために案出されたものである。本発明の目的は、用水が広く噴射されつつ噴出される機能を備えるものと、圧送された用水の水圧が減圧されて、噴射されずにホースの下にぽたぽたと落ちるようにすることができる機能を備えたものとを、一つのホースに一体に構成することにより、ホースを交換したり二種類のホースを共に設置しなければならないという問題点を解決することにある。
【課題を解決するための手段】
【０００９】
上記の課題を達成するために、本発明の農業用水給水用潅水ホースは、用水通水路を通って圧送された用水の水圧を減圧して、点滴用噴出口を通して農作物に点滴用水を供給するための点滴水供給手段と、用水通水路を通って圧送された用水を、噴射用噴出口を通して噴射させて農作物に供給するための噴射用水供給手段とを備えたことを特徴とする。
【００１０】
また、本発明の農業用水給水用潅水ホースは、用水通水路を第１用水通水路と第２用水通水路とに分割区画する分離層を設け、第１用水通水路を通って圧送された用水は点適用噴出口を通って農作物に点滴用水を供給し、第２用水通水路を通って圧送された用水は噴射用噴出口を通って噴射された用水を農作物に供給することを特徴とする。
【発明の効果】
【００１１】
本発明による農業用水給水用潅水ホースは、点滴ホースと噴水ホースの機能とを、一つのホースで同時に備えている。このことから、必要に応じて選択して用いることができるので、二重にホースを設置したり時期別にホースを交換する必要がない。そのため、労働を節約でき、二重購入に伴う経済的な損失を防止することができる。
【発明を実施するための最良の形態】
【００１２】
以下、添付した図面を参照しつつ、本発明の農業用水給水用潅水ホースを詳細に説明する。
【００１３】
本発明の農業用水給水用潅水ホースは、用水通水路６を通って圧送された用水の水圧を減圧して点滴用噴出口７を通って農作物に点滴用水を供給する点滴水供給手段と、用水通水路６を通って圧送された用水を噴射用噴出口８を通って用水を噴射させて農作物に供給する噴射用水供給手段とから構成される。
【００１４】
また、本発明の農業用水給水用潅水ホースは、用水通水路６を第１用水通水路と第２用水通水路とに分割区画する分離層２を設けたものであり、第１用水通水路２０を通って圧送された用水は、点適用噴出口７を通って農作物に点滴用水として供給され、第２用水通水路３０を通って圧送された用水は、噴射用噴出口８を通って噴射された用水として農作物に供給される。
【００１５】
図５乃至図８は本発明による農業用水給水用潅水ホースを示した図面で、本発明の農業用水給水用潅水ホース１０は、表面層１と、用水通水路６を第１用水通水路２０及び第２用水通水路３０に分割区画する分離層２と、底層３との三重に構成される。両側面４は表面層１及び底層３のみが互いに融着されてなり、融着された両側面４内部には、圧送された用水の水圧が減圧されて減圧迷路５を通って点滴噴出されることができるように微細な点滴用噴出口７を構成する。分離層２は、表面層１の両縁側９に融着されて、上下２つの第１用水通水路２０及び第２用水通水路３０を構成するための中間膜の役割を果たす。表面層１には、圧送された用水が噴出されるようにする際に、噴射されることができるように噴射用噴出口８を構成する。
【００１６】
前記構成による本発明の農業用水給水用潅水ホースの動作を説明すると、以下のようである。
【００１７】
図５及び図６に示すように、マルチング裁培のために分離層２と底層３の間に形成された第１用水通水路２０を通して用水を圧送すると、用水が、第１用水通水路２０両側面の微細な減圧迷路５を通って減圧され、最終的に点滴用噴出口７を通って農作物にぽたぽたと落ちるようになり、点適用水が供給される。
【００１８】
また、図７及び図８に示すように、分離層２を下に押して形成された第２用水通水路３０を通して用水を圧送すると、表面層１に形成された噴射用噴出口８を通って用水が噴射されて、農作物に用水が供給される。
【００１９】
本発明の他の実施例を説明すると、図９及び図１０に示すように、圧送された用水が減圧されて噴出される点滴機能と、圧送された用水が噴射される機能とが一つの通水路４０により行われるように構成する。これにより、通水路４０から供給された用水を、点滴用噴出口７を通して点滴用水として農作物に供給することができるとともに、同時に、噴射用噴出口８を通して用水が噴射されるようにして農作物に用水を供給することができる。
【図面の簡単な説明】
【００２０】
【図１】従来の農業用水給水用噴水ホースの斜視図である。
【図２】従来の農業用水給水用噴水ホースの用水噴出の例示図である。
【図３】従来の農業用水給水用点滴ホースの斜視図である。
【図４】従来の農業用水給水用点滴ホースの使用状態の例示図である。
【図５】本発明の農業用水給水用潅水ホースの点滴機能時における斜視図である。
【図６】本発明の農業用水給水用潅水ホースの点滴機能時における用水噴出の例示図である。
【図７】本発明の農業用水給水用潅水ホースの噴水機能時における斜視図である。
【図８】本発明の農業用水給水用潅水ホースの噴水機能時における用水噴出の例示図である。
【図９】本発明の他の実施例の斜視図である。
【図１０】図９の使用状態の例示図である。
【符号の説明】
【００２１】
１      表面層
２      分離層
３      底層
４      両側面
５      減圧迷路
６      用水通水路
７      点滴用噴出口
８      噴射用噴出口
９      両縁側
１０    農業用水給水用潅水ホース
２０    第１用水通水路
３０    第２用水通水路
【図１】
2004305206.tif 000003
【図２】
2004305206.tif 000004
【図３】
2004305206.tif 000005
【図４】
2004305206.tif 000006
【図５】
2004305206.tif 000007
【図６】
2004305206.tif 000008
【図７】
2004305206.tif 000009
【図８】
2004305206.tif 000010
【図９】
2004305206.tif 000011
【図１０】
2004305206.tif 000012